(57)【要約】【課題】機体の進行方向をレバーにより意図的に設定するように構成し、変速ペダルについては、機体の進行速度のみが設定される構成とした、車両の前後進切換機構を提案する。【解決手段】車両の前後進切換機構であって、該前後進切換機構は、前後進切換操作具と変速操作具とに連結される前後進切換アーム１４０と、油圧式無段変速機５０の変速手段（トラニオンレバー５４）と連結される前進側揺動部１７１及び後進側揺動部１７２とを備え、該前進側揺動１７１部及び後進側揺動部１７２に、前記前後進切換アーム１４０の両端に係合可能な係合面１７１ｃ・１７２ｃを形成し、前後進切換操作具の操作で前後進切換アーム１４０を回動して、前記の揺動部のいずれか一方と係合させて前進または後進に切換えるように構成した。【選択図】　　　　図１１
2004051001.tif 000002
【特許請求の範囲】
【請求項１】
車両の進行の前後方向を切替えるとともに、その進行速度を変更する機能を有する車両の前後進切換機構であって、該前後進切換機構は、油圧式無段変速機の変速手段の回動方向を切換えるとともに、変速操作具の一側方向の踏込量に応じて、前記変速手段を回動させる構成とした、車両の前後進切換機構。
【請求項２】
前記前後進切換機構は、前後進切換操作具と変速操作具とに連結される前後進切換アームと、油圧式無段変速機の変速手段と連結される前進側揺動部及び後進側揺動部とを備え、該前進側揺動部及び後進側揺動部に、前記前後進切換アームの両端に係合可能な係合面を形成し、前後進切換操作具の操作で前後進切換アームを回動して、前記の揺動部のいずれか一方と係合させて前進または後進に切換えるように構成した、ことを特徴とする請求項１に記載の前後進切換機構。
【請求項３】
請求項１又は請求項２に記載の前後進切換機構を備えた車両であって、前記前後進切換機構をステップ下方に設け、前後進切換操作具を前後進切換レバーとしてダッシュボード上に設け、変速操作具を変速ペダルとしてステップ上に設けてそれぞれ連結するとともに、前後進切換機構を油圧式無段変速機の変速手段と連結する構成とした、ことを特徴とする前後進切換機構を備えた車両。
【発明の詳細な説明】
【０００１】
【発明の属する技術分野】
本発明は、車両の進行方向を切替える前後進切換機構と、その前後進切換機構を備えた車両に関するものである。
【０００２】
【従来の技術】
従来、建設機械や農業機械等の乗用車両においては、変速ペダルを前後方向、若しくは、左右方向に踏込んで回動させることにより、その回動方向によって、機体の前進又は後進の切換えが行われ、その踏込み量で車速が決められる構成となっている。
上記従来構成には、図１３に示されるものがあり、（ａ）では、一つの変速ペダル４０１を、前後に回動させて油圧式無段変速機のポンプ５０１の斜板角を変更し、モーター５０２の出力の正逆回転を切換えて、ミッションケース５０３に入力し、該ミッションケース５０３から出力する駆動輪５０４Ｌ・５０４Ｒの回転方向の正逆の切換えを行うようにしている。
また、同図１３の（ｂ）では、二つの変速ペダル４０２Ｆ・４０２Ｒを配し、両ペダルの踏込みに連動するリンクのポンプ５０１への作用方向を逆とするように構成し、上記と同様に、駆動輪５０４Ｌ・５０４Ｒの回転方向の正逆の切換えを行うようにしている。
【０００３】
【発明が解決しようとする課題】
しかしながら、図１３（ａ）に示す構成では、変速ペダル４０１の踏む面を誤った場合には、オペレータの意図しない方向に機体を進行させてしまうことになる。
図１３（ｂ）に示す構成でも、同様に、変速ペダル４０２Ｆ・４０２Ｒの選択を誤った場合には、オペレータの意図しない方向に機体を進行させてしまうことになる。
このような、所謂「変速ペダルの誤操作」は、建設機械や農業機械といったように、各種作業機・ダンプ式荷台等を備えるものについては、各種作業機・ダンプ式荷台等の操作に注意が引かれることもあり、特に発生し易いといえる。
そこで、本発明では、以上の問題点に鑑み、「変速ペダルの誤操作」をなくすべく、機体の進行方向をレバーにより意図的に設定するように構成し、変速ペダルについては、機体の進行速度のみが設定される構成とした、車両の前後進切換機構、及び該前後進切換機構を備える車両を提案するものである。
【０００４】
【課題を解決するための手段】
本発明の解決しようとする課題は以上のごとくであり、次に該課題を解決する為の手段を説明する。
即ち、請求項１に記載のごとく、車両の進行の前後方向を切替えるとともに、その進行速度を変更する機能を有する車両の前後進切換機構であって、該前後進切換機構は、油圧式無段変速機の変速手段の回動方向を切換えるとともに、変速操作具の一側方向の踏込量に応じて、前記変速手段を回動させる構成としたことである。
【０００５】
また、請求項２に記載のごとく、前記前後進切換機構は、前後進切換操作具と変速操作具とに連結される前後進切換アームと、油圧式無段変速機の変速手段と連結される前進側揺動部及び後進側揺動部とを備え、該前進側揺動部及び後進側揺動部に、前記前後進切換アームの両端に係合可能な係合面を形成し、前後進切換操作具の操作で前後進切換アームを回動して、前記の揺動部のいずれか一方と係合させて前進または後進に切換えるように構成したことである。
【０００６】
また、請求項３に記載のごとく、前記前後進切換機構を備えた車両であって、前記前後進切換機構をステップ下方に設け、前後進切換操作具を前後進切換レバーとしてダッシュボード上に設け、変速操作具を変速ペダルとしてステップ上に設けてそれぞれ連結するとともに、前後進切換機構を油圧式無段変速機の変速手段と連結する構成としたとすることである。
【０００７】
【発明の実施の形態】
次に、本発明の実施の形態を、図面に基づいて説明する。
図１は本発明の前後進切換機構を適用した運搬車の全体左側面図、図２は運転部の平面図、図３はボンネット及びステップの形状を示す斜視図、図４はステップ下方に配されるリンク類の構成を示す斜視図、図５はＨＳＴ、ミッションケース等の配置関係を示す平面図、図６は変速ペダルの回動部の構成を示す右側面図、図７は前後進切換レバーから前後進切換機構までのリンク構成を示す左側面図、図８は変速ペダルから前後進切換機構を繋ぐリンク構成を示す平面図、図９は前後進切換機構の構成を示す左側面図、図１０は同じく前後進切換機構の動作を示す左側面図、図１１は前後進切換機構とＨＳＴを繋ぐリンク構成を示す後面図、図１２は本発明の前後進切換機構、前後進切換レバー、変速ペダルの相関図、図１３の（ａ）は従来の変速ペダルと油圧式無段変速機の相関図、（ｂ）は従来の他の構成の変速ペダルと油圧式無段変速機の相関図である。
【０００８】
まず、本発明の前後進切換機構を適用する車両の一例として述べる運搬車の全体構成について説明する。尚、本発明の前後進切換機構は、運搬車に限らず、建設機械や農業機械等、乗用車両に幅広く適用可能である。
図１及び図２に示すごとく、運搬車１は、走行部であるクローラ走行装置２、機体フレーム３及び荷台４により構成され、該クローラ走行装置２の上に機体フレーム３を搭載し、該機体フレーム３の前部に荷台４を、後部に運転部５を配している。
【０００９】
クローラ走行装置２は、左右のトラックフレーム４０に複数の下部転輪４１・４１・・・、上部転輪４２を回転自在に枢支し、前部転輪４３をテンション機構を介して回転自在に枢支し、後部駆動輪４４Ｌ・４４Ｒをミッションケースから突出した車軸に固設し、これらにクローラ４５を巻回して構成されている。
【００１０】
機体フレーム３は、前後方向に平行な左右の前後フレーム３１Ｌ（３１Ｒ）と、これら前後フレーム３１Ｌ（３１Ｒ）間に横架する複数の左右フレーム３２・３２・・・から構成している。
【００１１】
荷台４は、ダンプシリンダ１９により昇降回動可能に枢支されており、該ダンプシリンダ１９を伸縮させることにより、荷台４に積んだ土砂等を運搬車１の前方または側方に排出する構成としている。
【００１２】
運転部５では、オペレータの足もとスペースに付設されるステップ６が、左右方向に敷設され、該ステップ６の左側には変速ペダル７（図２）、右側にはブレーキペダル８が配されている。
該ステップ６の前方には、隔離板９が左右方向に立設されており、該隔離板９によって荷台４と運転部５との間が隔離されている。一方、ステップ６の後方には、エンジン等を内包するボンネット１０が配され、該ボンネット１０の上部に座席１１を載置固定している。また、前記機体フレーム３後部上に後部カバー１２Ｌ・１２Ｒが設けられ、該後部カバー１２Ｌ（１２Ｒ）上のボンネット１０の左右両側より乗降バー１３・１３（図２）を立設し、さらに、後部カバー１２Ｌ（１２Ｒ）には、オペレータの保護機器となるロプス８２の立設スペースが設けられ、ロプス８２がオペレータを囲むように立設されている。
また、該ステップ６は、前記隔離板９とボンネット１０の間となる位置に前後方向の幅を持たせて配され、ウォークスルー通路が形成されている。言い換えれば、運転部５の座席１１とダッシュボード１７との間にステップ６が配置されて、左右両側より乗降可能としている。
【００１３】
また、前記隔離板９において、略左右中心となる位置のボンネット１０側には、燃料タンク１４が付設され、該燃料タンク１４の上部左側に設けた給油口１６（図２）を除く右側上方をダッシュボード１７で覆い、該ダッシュボード１７に各種操作ボタンや計器等を配設している。
また、燃料タンク１４の略左右中心に燃料ゲージ１８を上下方向に付設し、該燃料ゲージ１８を中心として左右に左右操向レバー２０Ｌ・２０Ｒを配している。該左右操向レバー２０Ｌ・２０Ｒはダッシュボード１７後部で機体左右中心に対して対称に配置している。
また、燃料タンク１４の左方には、エンジン回転数を設定するアクセルレバー２１と、荷台４を昇降操作するダンプレバー２２が配される一方、燃料タンク１４の右方には、変速ペダル７の踏み込み量を規制する踏込量規制レバー２３と、機体の前進・後進を切替える前後進切換操作具となる前後進切換レバー２４が配されている。
【００１４】
次に、前記ステップ６の形状と、該ステップ６廻りの構成について説明する。図３に示すごとく、ステップ６は、前述の左右の前後フレーム３１Ｌ・３１Ｒに横架される正面視略「凸」状（ハット形状）の板体であって、その左右中央の高い床面を中高面９０とし、該中高面９０の左右に低く構成される面を左右ステップ面９１Ｌ・９１Ｒとしている。
前記中高面９０においては、前側中央付近において平面視略「Ｕ」字の切欠き８８・８８が左右に形成されており、該切欠きより前記左右操向レバー２０Ｌ・２０Ｒ（図２）を立ち上げるようにしている。
この左右操向レバー２０Ｌ・２０Ｒの回動支点となる回動軸１２０は、図４及び図５に示すごとく、前述の前後フレーム３１Ｌ・３１Ｒより突設した支持ステー１２５Ｌ・１２５Ｒ（図４）に枢結されて、前記ステップ６の中高面９０の下方に横架されている（図５）。また、該回動軸１２０に、左右操向レバー２０Ｌ・２０Ｒの基部が固設される枢結筒１２１Ｌ・１２１Ｒと、ブレーキペダル８にペダル連動リンク１９６で連動連結される１２２Ｌ・１２２Ｒを回転自在に外嵌支持している。
また、これら枢結筒１２１Ｌ・１２１Ｒ及び支持筒１２２Ｌ・１２２Ｒから、ミッションケース６０にかけて、前後方向に、それぞれ操向リンク１２３Ｌ・１２３Ｒ、制動リンク１２４Ｌ・１２４Ｒが伸びており、これらリンク機構についてもステップ６の中高面９０の下方に配されている（図５）。つまり、ステップ６の左右中央に形成される中高面９０の下方に、左右操向レバー２０Ｌ・２０Ｒ及びブレーキペダル８と、ミッションケース６０とを連動連結する連動手段となるリンク機構を配している。
さらに、後述する前後進切換機構１３０（図５）や、該前後進切換機構１３０に繋がるリンク、即ち、前述の前後進切換レバー２４に連動する回転軸１３１及びレバー第二リンク１３２、そして、変速操作具となる変速ペダル７に連動するリンク、即ち、ペダル第三リンク１４３については、中高面９０の下方となる位置において、前記操向リンク１２３Ｌ・１２３Ｒ、制動リンク１２４Ｌ・１２４Ｒに対して上下に（平面視で）重複交差させるように左右方向に架け渡されている。
【００１５】
他方、ステップ６の左右ステップ面９１Ｌ・９１Ｒにおいては、その上面が足置きスペースとなるとともに、それぞれ、ブレーキペダル８、変速ペダル７が配される（図５）。そして、左ステップ面９１Ｌの下方には、ブレーキペダル８を取付けたブレーキアーム１９１の回動軸１９３が配され、ブレーキペダル８の回動支点８ａを構成し、右ステップ９１Ｒの下方には、変速ペダル７の踏込量を前後進切換機構１３０に伝達するためのペダル第一リンク１４１、ペダル第二リンク１４２等よりなる変速ペダルリンク機構２０７が配され、変速ペダル７の下方に回動支点７ａが位置するようになっている。
【００１６】
次に、前後進切換レバー２４及び変速ペダル７と前後進切換機構１３０との連結構成、そして、該前後進切換機構１３０とＨＳＴ５０との連結構成、さらには、これらの操作によるＨＳＴ５０のトラニオンレバー５４の連動について説明する。
図７に示すごとく、前後進切換レバー２４のレバー回動プレート２４１に、上下方向のレバー第一リンク１３４の上端がジョイント１３３を介して枢結され、レバー第一リンク１３４の下端は、前記燃料タンク１４の下方に配される回動軸１３１の右端部に固設されたアーム１３５に対し、ジョイント１３６を介して枢結されている。回動軸１３１は、前記燃料タンク１４の下方に横架される筒体１３７内で回動自在であり、左端部に固定されたアーム１３８が、前記右端部のアーム１３５の揺動に連動して揺動するようになっている。そして、該アーム１３８の反回動軸１３１側には、レバー第二リンク１３２の前端がジョイント１３９を介して接続されており、レバー第二リンク１３２の後端には、前後進切換アーム１４０が固設されている。そして、図９に示すごとく、該前後進切換アーム１４０は、前後進切換機構１３０の枢結軸１６０に枢結されている。
以上の構成で、前後進切換レバー２４を操作すると、レバー第一リンク１３４が上下動し、アーム１３５が揺動して回転軸１３１を回動し、他側のアーム１３８が揺動して、レバー第二リンク１３２が前後動し、前後進切換アーム１４０が枢結軸１６０を中心として前後方向に揺動するようになっている。
【００１７】
また、図６及び図８に示すごとく、変速ペダル７下部の枢支筒１６２（図６）は、前後フレーム３１Ｒに横架された枢結軸１６１に枢結されており、該枢支筒１６２の下方に向けて形成したアーム１６３には、ペダル第一リンク１４１の前端がジョイント１４４を介して枢結され、ペダル第一リンク１４１の他端側は（図８）、ペダル第二リンク１４２の長手方向中途部に形成した貫通孔にコイルバネ１４５を挟装した状態で挿通されている。ペダル第二リンク１４２の右端には、戻し用のショックアブソーバ１４６の一端が枢結される一方、左端を枢結軸１４７に枢結するとともに、該枢結軸１４７の枢結部にアーム部１４８を突設し、該アーム部１４８の突端にペダル第三リンク１４３の右端を枢結する一方、左端をジョイント１４９を介して連動アーム１２９に枢結している。
以上の構成で、変速ペダル７を踏込むと、ペダル第一リンク１４１が前後動し、ペダル第二リンク１４２及びアーム部１４８が揺動し、ペダル第三リンク１４３が左右移動し、連動アーム１２９が回動支持軸１２８を中心として揺動するようになっている。
【００１８】
以上が、前後進切換レバー２４及び変速ペダル７から前後進切換機構１３０までの連結構成であり、次に前後進切換機構１３０について説明する。
該前後進切換機構１３０は、図９乃至図１１に示すごとく、前進側揺動部１７１と、後進側揺動部１７２と、前後進切換部１７３を、前後方向の一の回動支持軸１２８に枢結し、前記前進側揺動部１７１及び後進側揺動部１７２と、ＨＳＴ５０のトラニオンレバー５４の一側レバー端５４ａとを、それぞれ、前記回動支持軸１２８を挟んで対向してリンクで連結し、前記前後進切換部１７３に枢結した前後進切換アーム１４０を、前後進切換レバーの操作に連動して揺動させて、前記の揺動部１７１・１７２のいずれか一方と係合させるとともに、同前後進切換アーム１４０を、前後進切換部１７３を変速ペダル７操作に連動して回動させて、前記回動支持軸１２８を中心に回動させることで、同前後進切換アーム１４０に係合した揺動部を回動させる構成としている。この前後進切換機構１３０は、前記回動支持軸１２８を支持する支持部２９１の固定部２９２を、機体フレーム３の左右フレーム３２に形成さるステー２９３に付設することで固定されている。
【００１９】
前記の前進側揺動部１７１及び後進側揺動部１７２には、回動支持軸１２８上に並置して枢支される筒体１７１ａ・１７２ａより、回動支持軸１２８と直交してジョイント接続面１７１ｂ・１７２ｂが互いに上下逆方向に立設され、両接続面１７１ｂ・１７２ｂには、ＨＳＴ５０のトラニオンレバー５４と連結するリンク５６・５７端部のジョイント５６ａ・５７ａが枢結されている。また、これらジョイント接続面１７１ｂ・１７２ｂにおける左端面を、それぞれ、後方（前後進切換アーム１４０側）に屈曲させて係合面１７１ｃ・１７２ｃを形成し、後述する前後進切換操作により、係合面１７１ｃが前後進切換アーム１４０の前進係合面１４０ａと、係合面１７２ｃが前後進切換アーム１４０の後進側係合面１４０ｂと係合可能とする位置関係となっている。
【００２０】
また、前記前後進切換部１７３において、回動支持軸１２８に枢結される筒体１７３ａより連動アーム１２９を上方に立設して、ペダル第三リンク１４３の左端部のジョイント１４９が接続されるとともに、同じく筒体１７３ａより左方に枢結軸１６０を突設し、該枢結軸１６０に前記前後進切換アーム１４０が枢結されている。
また、前後進切換アーム１４０は、枢結軸１６０を挟んで上側に、前記前進側揺動部１７１（係合面１７１ｃ）に係合する前進係合面１４０ａを、同枢結軸１６０の下側に、前記後進側揺動部１７２（係合面１７２ｃ）に係合する後進係合面１４０ｂを形成して側面視略「く」字形としている。
【００２１】
以上が、前後進切換機構１３０の構成であり、次に該前後進切換機構１３０とＨＳＴ５０との連結構成について説明する。
図１１に示すごとく、前後進切換機構１３０の前進側揺動部１７１及び後進側揺動部１７２は、リンク５６・５７を介してＨＳＴ５０のトラニオンレバー５４に連結されるものである。このトラニオンレバー５４は、トラニオン軸５５を回動して、ＨＳＴポンプ側の斜板角を変更するものである。
そして、該トラニオンレバー５４の中途部は、トラニオン軸５５に固設され、該トラニオンレバー５４の他端のレバー端５４ｂには、中立位置に戻すとともに、急激な変速を防止するダンパー５９が接続される一方、下方に二股に形成したレバー端５４ａに前記リンク５６・５７の右端のジョイント５６ｂ・５７ｂが接続されている。そして、前進側揺動部１７１が回動されて、リンク５６が押されトラニオンレバー５４を反時計方向（図１１）に回動させ、ＨＳＴポンプ側の斜板の前進側へ傾け、出力軸５１を前進側へ回転させる。一方、後進側揺動部１７２が回動されると、リンク５７がトラニオンレバー５４を引っ張り時計方向に回動させ、ＨＳＴポンプ側の斜板を後進側へ傾け、出力軸５１を後進側へ回転させる。そして、該トラニオンレバー５４の回動量は、前後進切換アーム１４０の回動量に応じるものであり、該前後進切換アーム１４０の回動量は、変速ペダル７の回動量に応じるものであり、この回動量が大きいほど速度が速くなる。
【００２２】
以上の構成において、前後進切換レバー２４操作及び変速ペダル７操作によるＨＳＴ５０のトラニオンレバー５４の連動について説明すると、前後進切換レバー２４を前進側に操作すると、レバー第二リンク１３２が引っ張られて前記前後進切換アーム１４０が枢結軸１６０を中心に回動されて、前後進切換アーム１４０の一端に設けた前進係合面１４０ａが前進側揺動部１７１の係合面１７１ｃに係合可能の状態となり（図１０の状態Ａ）、この状態で変速ペダル７の踏込むと、前進係合面１４０ａと係合面１７１ｃが係合して踏込量に応じて前後進切換部１７３が回動し、この回動が前進側揺動部１７１よりリンク５６を介して該トラニオンレバー５４を前記踏込量に応じて反時計方向に回動させ、ＨＳＴ５０の出力軸５１を前進回転させる。
一方、前後進切換レバー２４が後進側に切り換えられた場合には、レバー第二リンク１３２が押されて前記前後進切換アーム１４０の後進係合面１４０ｂが後進側揺動部１７２の係合面１７２ｃに係合可能な状態となり（図１０の状態Ｂ）、この状態で変速ペダル７の踏込むと、後進係合面１４０ｂと係合面１７２ｃが係合して、踏込量に応じて前後進切換部１７３が回動し、この回動が後進側揺動部１７２よりリンク５７を介して該トラニオンレバー５４を前記踏込量に応じて時計方向に回動させ、ＨＳＴの出力軸５１を後進回転させる。
【００２３】
以上のように、前後進切換機構１３０は、入力される前後進切換レバー２４操作及び変速ペダル７操作を、ＨＳＴ５０のトラニオンレバー５４に連動させる構成となっている。
即ち、前後進切換機構１３０は、前後進切換レバー２４操作で、ＨＳＴ５０のトラニオンレバー５４の回動方向を切換え、変速ペダル７の一側方向の踏込量に応じて、ＨＳＴ５０のトラニオンレバー５４を回動させる構成としている。
そして、本実施例の運搬車では、図１２に示すごとく、前記前後進切換機構１３０を備え、前後進切換レバー２４でＨＳＴ５０のポンプ５０ａのトラニオンレバー５４の回動方向を設定して機体進行方向を決定し、変速ペダル７で前記トラニオンレバー５４の回動量を設定して走行速度を決定する構成とし、従来の構成における変速ペダル７の誤操作、即ち、踏み間違えにより誤って前進させてしまう、若しくは、後進させてしまうといった不具合が生じることもない。
【００２４】
【発明の効果】
本発明は以上のごとく構成したので、次のような効果を奏するのである。即ち、請求項１のごとく、車両の進行の前後方向を切替えるとともに、その進行速度を変更する機能を有する車両の前後進切換機構であって、該前後進切換機構は、油圧式無段変速機の変速手段の回動方向を切換えるとともに、変速操作具の一側方向の踏込量に応じて、前記変速手段を回動させる構成としたので、機体の進行方向を前後進切換レバーにより意図的に設定し、しかも、変速ペダルでは、機体の進行速度のみが設定されるので、車両を意図しない方向に進行させてしまうといった不具合が生じることがない。
【００２５】
また、請求項２に記載のごとく、前記前後進切換機構は、前後進切換操作具と変速操作具とに連結される前後進切換アームと、油圧式無段変速機の変速手段と連結される前進側揺動部及び後進側揺動部とを備え、該前進側揺動部及び後進側揺動部に、前記前後進切換アームの両端に係合可能な係合面を形成し、前後進切換操作具の操作で前後進切換アームを回動して、前記の揺動部のいずれか一方と係合させて前進または後進に切換えるように構成したので、機体の進行方向を前後進切換レバーにより意図的に設定し、しかも、変速ペダルでは、機体の進行速度のみが設定されるので、車両を意図しない方向に進行させてしまうといった不具合が生じることがない。このように、前後進切換が簡単な構成で確実に行え、また、大きな操作力も必要としない構成となっている。
【００２６】
また、請求項３に記載のごとく、前記前後進切換機構を備えた車両であって、前記前後進切換機構をステップ下方に設け、前後進切換操作具を前後進切換レバーとしてダッシュボード上に設け、変速操作具を変速ペダルとしてステップ上に設けてそれぞれ連結するとともに、前後進切換機構を油圧式無段変速機の変速手段と連結する構成としたので、変速ペダルの誤操作のない車両を構成することができる。また、前後進切換機構をステップ下方の空間に配置することができて、リンク機構を集約配置することができ、メンテナンスも容易に行える。また、前後進の切換えは手元操作で簡単に行え、変速操作は踏み込み操作により自動車感覚で簡単に行える。
【図面の簡単な説明】
【図１】本発明の運搬車の全体左側面図である。
【図２】運転部の平面図である。
【図３】ボンネット及びステップの形状を示す斜視図である。
【図４】ステップ下方に配されるリンク類の構成を示す斜視図である。
【図５】ＨＳＴ、ミッションケース等の配置関係を示す平面図である。
【図６】変速ペダルの回動部の構成を示す右側面図である。
【図７】前後進切換レバーから前後進切換機構までのリンク構成を示す左側面図である。
【図８】変速ペダルから前後進切換機構を繋ぐリンク構成を示す平面図である。
【図９】前後進切換機構の構成を示す左側面図である。
【図１０】同じく前後進切換機構の動作を示す左側面図である。
【図１１】前後進切換機構とＨＳＴを繋ぐリンク構成を示す後面図である。
【図１２】本発明の前後進切換機構、前後進切換レバー、変速ペダルの相関図である。
【図１３】（ａ）は従来の変速ペダルと油圧式無段変速機の相関図。（ｂ）は従来の他の構成の変速ペダルと油圧式無段変速機の相関図である。
【符号の説明】
５４　　　トラニオンレバー
５４ａ　　レバー端
５６　　　リンク
５７　　　リンク
１２８　　回動支持軸
１３０　　前後進切換機構
１４０　　前後進切換アーム
１７１　　前進側揺動部
１７２　　後進側揺動部
１７３　　前後進切換部
【図１】
2004051001.tif 000003
【図２】
2004051001.tif 000004
【図３】
2004051001.tif 000005
【図４】
2004051001.tif 000006
【図５】
2004051001.tif 000007
【図６】
2004051001.tif 000008
【図７】
2004051001.tif 000009
【図８】
2004051001.tif 000010
【図９】
2004051001.tif 000011
【図１０】
2004051001.tif 000012
【図１１】
2004051001.tif 000013
【図１２】
2004051001.tif 000014
【図１３】
2004051001.tif 000015